(57)【要約】      （修正有）【課題】浸透・横漏れ防止のパンツ型おむつ、トレニングパンツと一体型パンツ及びその生産ラインを提供する。【解決手段】外層１と、内層２と、外層と内層との間の吸収性コア３と、外層の内側面に複合された漏れ防止層４と、を含み、吸収性コアの長さ方向に沿った２つの側辺に対応する前記内層の外面側には、横漏れ防止エッジストリップ５がそれぞれ設けられ、前記横漏れ防止エッジストリップは、一方の側辺が固定連結され、他方の側辺が自由側辺であり、長さ方向に沿って弾性リブが設けられ、前記横漏れ防止エッジストリップには、その長さ方向に沿って浸透防止層が複合される。このように浸透防止層を配置することで、横漏れの問題を改善でき、その生産ラインは、内層搬送ラインに追加して、実現できる。【選択図】図１
0003233195.tif 000002
【実用新案登録請求の範囲】
【請求項１】
外層と、内層と、前記外層と前記内層との間の吸収性コアと、前記外層の内側面に複合された漏れ防止層と、を含み、前記吸収性コアの長さ方向に沿った２つの側辺に対応する前記内層の外面側には、横漏れ防止エッジストリップがそれぞれ設けられ、前記横漏れ防止エッジストリップは、一方の側辺が固定連結され、他方の側辺が自由側辺であり、長さ方向に沿って弾性リブが設けられ、前記横漏れ防止エッジストリップには、その長さ方向に沿って浸透防止層が複合されていることを特徴とする浸透・横漏れ防止のパンツ型おむつ、トレニングパンツと一体型パンツ。
【請求項２】
前記浸透防止層は、浸透防止ＰＥフィルムであり、及び／又は前記漏れ防止層は、漏れ防止ＰＥフィルムであることを特徴とする請求項１に記載の浸透・横漏れ防止のパンツ型おむつ、トレニングパンツと一体型パンツ。
【請求項３】
前記横漏れ防止エッジストリップは、上部不織布と下部不織布を含む２層構造であり、前記浸透防止層は、前記２層構造の間に配置されることを特徴とする請求項１に記載の浸透・横漏れ防止のパンツ型おむつ、トレニングパンツと一体型パンツ。
【請求項４】
前記横漏れ防止エッジストリップの自由側辺に対応する前記浸透防止層の側辺の前記自由側辺よりも引っ込められた一部が保留部であり、前記弾性リブは、前記保留部の外側辺に配置されることを特徴とする請求項３に記載の浸透・横漏れ防止のパンツ型おむつ、トレニングパンツと一体型パンツ。
【請求項５】
前記横漏れ防止エッジストリップが固定連結された側に対応する前記浸透防止層は、前記横漏れ防止エッジストリップと面一になるように配置されることを特徴とする請求項４に記載の浸透・横漏れ防止のパンツ型おむつ、トレニングパンツと一体型パンツ。
【請求項６】
吸収性コア搬送ラインと、内層搬送ラインと、外層搬送ラインと、前述の３つの搬送ラインによりおむつを複合して製造する複合搬送ラインと、を備える請求項１乃至５のいずれか一項に記載の浸透・横漏れ防止のパンツ型おむつ、トレニングパンツと一体型パンツの生産ラインであって、
前記内層搬送ラインは、上部不織布搬送機構、下部不織布搬送機構、浸透防止ＰＥフィルム引張搬送機構、接着剤噴霧機、圧延複合機構、分割・切断機構、及び分割・切断出力機構を有する横漏れ防止エッジストリップ加工部を備え、
前記上部不織布搬送機構は、上部不織布を前記圧延複合機構に搬送し、前記下部不織布搬送機構は、下部不織布を前記圧延複合機構に搬送し、前記上部不織布と上下に対応させ、前記浸透防止ＰＥフィルム引張搬送機構は、浸透防止ＰＥフィルムを前記圧延複合機構に搬送し、前記上部不織布と前記下部不織布との間に対応して介在させ、前記接着剤噴霧機は、前記下部不織布と前記浸透防止ＰＥフィルムが前記圧延複合機構に入る前に前記下部不織布の複合内面に接着剤を噴霧可能な位置に配置され、前記圧延複合機構は、前記上部不織布、前記浸透防止層及び前記下部不織布を複合した後に前記分割・切断出力機構へ出力させ、前記分割・切断機構は、前記圧延複合機構と前記分割・切断出力機構との間に配置され、前記分割・切断機構は、複合した後の前記上部不織布、前記浸透防止ＰＥフィルム及び前記下部不織布を長さ方向に沿って対称的な左側横漏れ防止エッジストリップと右側横漏れ防止エッジストリップに分割・切断可能な位置に配置されることを特徴とする浸透・横漏れ防止のパンツ型おむつ、トレニングパンツと一体型パンツの生産ライン。
【請求項７】
前記横漏れ防止エッジストリップ加工部は、前記浸透防止ＰＥフィルム引張搬送機構から前記浸透防止ＰＥフィルムが前記圧延複合機構に搬出する前の位置に配置されて前記浸透防止ＰＥフィルムを偏差補正するための偏差補正装置をさらに備えることを特徴とする請求項６に記載の浸透・横漏れ防止のパンツ型おむつ、トレニングパンツと一体型パンツの生産ライン。
【請求項８】
前記浸透防止ＰＥフィルム引張搬送機構は、前記浸透防止ＰＥフィルムの搬送順に、ロール状の浸透防止ＰＥフィルムを架設する浸透防止ＰＥフィルム出力ローラーと、フィルムプレス装置と、多段往復型の引張構造と、平坦化出力ローラーセットと、を有することを特徴とする請求項６に記載の浸透・横漏れ防止のパンツ型おむつ、トレニングパンツと一体型パンツの生産ライン。
【考案の詳細な説明】
【技術分野】
【０００１】
本考案は、乳幼児や成人が使用するおむつ製品の分野に関し、具体的には、横漏れ防止のパンツ型おむつ、トレニングパンツと一体型パンツ及びその生産ラインに関する。
【背景技術】
【０００２】
現在、市場で一般的に使用されているおむつとして、乳幼児又は成人用の一枚式のパンツ型おむつ、ズボン式のトレニングパンツ（三角形の短いパンツ）と一体型パンツ（トランクス）がある。いずれもおむつの種類に関係なく、その構造は、通常、外層と、内層と、外層と内層との間の吸収性コアと、を備え、前記外層と吸収性コアとの間にはＰＥフィルム層が設けられている。前記おむつは、吸収性コアの長さ方向に沿った２つの側辺に対応する内層の外面側には、横漏れ防止エッジストリップがそれぞれ設けられ、前記横漏れ防止エッジストリップは、一方の側辺が固定連結され、他方の側辺が自由側辺であり、長さ方向に沿って弾性リブが設けられ、前記横漏れ防止エッジストリップの自由側辺は対向配置されると共に、両端は内層に固定され、弾性リブの収縮により、使用時におむつの横漏れ防止エッジストリップが乳幼児の太ももの付け根に立体的にフィットするようにして、横漏れ防止の効果を発揮することができる。ただし、横漏れ防止エッジストリップは通常不織布で作られ、一定の極めて短い間のバリア効果があるが、実際には浸透防止ができない。この横漏れは、通常、乳幼児が横向きになった時に見られる。既存のおむつの多くは、横漏れ防止機能を持っていると主張しているが、実際には横向きでの横漏れ防止テストに合格できない場合が多い。これは、横向きの場合、尿が側辺に流れて吸収性コアにタイムリーに吸収されないため、吸収されなかった尿は横漏れ防止エッジストリップから染み出してしまうからである。従って、おむつの立体的横漏れ防止の問題を改善する必要がある。
【考案の概要】
【考案が解決しようとする課題】
【０００３】
本考案は、横漏れ問題をよく改善できる浸透・横漏れ防止のパンツ型おむつ、トレニングパンツと一体型パンツを提供することを目的とする。
【課題を解決するための手段】
【０００４】
上記の目的を達成するために、本考案の技術的解決策は、浸透・横漏れ防止のパンツ型おむつ、トレニングパンツと一体型パンツであって、外層と、内層と、前記外層と前記内層との間の吸収性コアと、外層の内側面に複合された漏れ防止層と、を含み、前記吸収性コアの長さ方向に沿った２つの側辺に対応する前記内層の外面側には、横漏れ防止エッジストリップがそれぞれ設けられ、前記横漏れ防止エッジストリップは、一方の側辺が固定連結され、他方の側辺が自由側辺であり、長さ方向に沿って弾性リブが設けられ、前記横漏れ防止エッジストリップには、その長さ方向に沿って浸透防止層が複合されている。
【０００５】
前記浸透防止層は、浸透防止ＰＥ（ポリエチレン）フィルムであり、及び／又は、前記漏れ防止層は、漏れ防止ＰＥフィルムである。
【０００６】
前記横漏れ防止エッジストリップは、上部不織布と下部不織布を含む２層構造であり、前記浸透防止層は、前記２層構造の間に配置される。
【０００７】
横漏れ防止エッジストリップの自由側辺に対応する前記浸透防止層の側辺の前記自由側辺よりも引っ込められた一部が保留部であり、前記弾性リブは、前記保留部の外側辺に配置される。
【０００８】
前記横漏れ防止エッジストリップが固定連結された側に対応する前記浸透防止層は、前記横漏れ防止エッジストリップと面一になるように配置される。
【０００９】
上記の浸透・横漏れ防止のパンツ型おむつ、トレニングパンツと一体型パンツの生産ラインは、吸収性コア搬送ラインと、内層搬送ラインと、外層搬送ラインと、前述の３つの搬送ラインによりおむつを複合して製造する複合搬送ラインと、を備え、前記内層搬送ラインは、上部不織布搬送機構、下部不織布搬送機構、浸透防止ＰＥフィルム引張搬送機構、接着剤噴霧機、圧延複合機構、分割・切断機構、及び分割・切断出力機構を有する横漏れ防止エッジストリップ加工部を備え、
前記上部不織布搬送機構は、上部不織布を前記圧延複合機構に搬送し、前記下部不織布搬送機構は、下部不織布を前記圧延複合機構に搬送し、前記上部不織布と上下に対応させ、前記浸透防止ＰＥフィルム引張搬送機構は、浸透防止ＰＥフィルムを前記圧延複合機構に搬送し、前記上部不織布と前記下部不織布との間に対応して介在させ、前記接着剤噴霧機は、前記下部不織布と前記浸透防止ＰＥフィルムが前記圧延複合機構に入る前に前記下部不織布の複合内面に接着剤を噴霧可能な位置に配置され、前記圧延複合機構は、前記上部不織布、前記浸透防止層及び前記下部不織布を複合した後に前記分割・切断出力機構へ出力させ、前記分割・切断機構は、前記圧延複合機構と前記分割・切断出力機構との間に配置され、前記分割・切断機構は、複合した後の前記上部不織布、前記浸透防止ＰＥフィルム及び前記下部不織布を長さ方向に沿って対称的な左側横漏れ防止エッジストリップと右側横漏れ防止エッジストリップに分割・切断可能な位置に配置される。
【００１０】
前記横漏れ防止エッジストリップ加工部は、前記浸透防止ＰＥフィルム引張搬送機構から前記浸透防止ＰＥフィルムが前記圧延複合機構に搬出する前の位置に配置されて前記浸透防止ＰＥフィルムを偏差補正するための偏差補正装置をさらに備える。
【００１１】
前記浸透防止ＰＥフィルム引張搬送機構は、前記浸透防止ＰＥフィルムの搬送順に、ロール状の浸透防止ＰＥフィルムを架設する浸透防止ＰＥフィルム出力ローラーと、フィルムプレス装置と、多段往復型の引張構造と、平坦化出力ローラーセットと、を有する。
【考案の効果】
【００１２】
本考案は、上記技術的解決策を採用することにより、次のような有益な効果を有する。上記構造の浸透・横漏れ防止のパンツ型おむつ、トレニングパンツと一体型パンツは、従来のおむつ製品と比較して、横漏れ防止エッジストリップに浸透防止層を追加配置し、浸透防止層がＰＥフィルム又はその他の所望の効果を達成することができる材料を用いることで、上記背景技術における立体的横漏れ防止に存在する染み出しによる横漏れの問題のより良い改善を達成することができ、上記のさらなる２層構造の配置、保留部、面一の配置等の構造配置により、本考案のパンツ型おむつはＰＥフィルムが容易に損傷するのを防ぎ、より優れた浸透防止を達成し、通気性を向上できるという有益な効果を有する。
【００１３】
上記に開示された浸透・横漏れ防止のパンツ型おむつ、トレニングパンツと一体型パンツの生産ラインは、従来のおむつ生産ラインと比較して、内層搬送ラインを対応する横漏れ防止エッジストリップ加工部に追加することで、横漏れ防止エッジストリップの層材料の処理、搬送、複合、分割・切断、及び出力を実現し、搬送加工が整然と行われ、当該横漏れ防止エッジストリップ加工部の構造配置は従来の生産ラインの追加配置に有利であり、設備の変革が容易に実現でき、設備交換のための投資も削除できる。本考案による上記の製品構造及び生産ライン構造は、一般的な乳幼児向けのベビートレニングパンツ、ベビー腰周回型パンツ等の製品に加えて、成人用トレニングパンツ、成人用パンツ型おむつ、女性生理用ショーツ等にも適用するおむつと同様の機能を持つ全ての製品に適用可能である。
【図面の簡単な説明】
【００１４】
【図１】本考案による浸透・横漏れ防止のパンツ型おむつ、トレニングパンツと一体型パンツの構造模式図である。
【図２】本考案による浸透・横漏れ防止のパンツ型おむつ、トレニングパンツと一体型パンツの横漏れ防止エッジストリップの層構造模式図である。
【図３】本考案による浸透・横漏れ防止のパンツ型おむつ、トレニングパンツと一体型パンツの横漏れ防止エッジストリップの構造模式図である。
【図４】本考案による浸透・横漏れ防止のパンツ型おむつ、トレニングパンツと一体型パンツの生産ラインにおける横漏れ防止エッジストリップ加工部の構造模式図である。
【図５】本考案による浸透・横漏れ防止のパンツ型おむつ、トレニングパンツと一体型パンツの生産ラインにおける上部不織布、浸透防止ＰＥフィルム及び下部不織布が複合された構造模式図である。
【考案を実施するための形態】
【００１５】
本考案の技術的解決策をさらに説明するために、具体的な実施例を参照しながら本考案を以下に詳細に説明する。
【００１６】
本実施例に開示された浸透・横漏れ防止のパンツ型おむつ、トレニングパンツと一体型パンツは、図１、図２、及び図３に示すように、外層１と、内層２と、外層１と内層２との間の吸収性コア３と、外層１の内側面に複合された漏れ防止層４と、を含む。漏れ防止層４は、通常、漏れ防止ＰＥフィルムであり、現在のおむつ生産でよく使用される材質である。前記パンツ型おむつは、吸収性コア３の長さ方向に沿った２つの側辺に対応する内層２の外面側には、横漏れ防止エッジストリップ５がそれぞれ設けられ、前記横漏れ防止エッジストリップ５は、一方の側辺が内層２に固定連結され、他方の側辺が自由側辺（即ち、当該構造の横漏れ防止エッジストリップ５は内層２に対して反転可能である）であり、長さ方向に沿って弾性リブ６が設けられ、弾性リブ６の収縮により、使用時にパンツ型おむつの横漏れ防止エッジストリップ５が乳幼児の太ももの付け根に立体的にフィットするようにして、横漏れ防止の効果を発揮することができる。おむつの他の構造配置については、ここではさらに詳しく説明しないが、既存の製品を参照すればよい。本考案のおむつ製品が既存の製品と異なる点は、主に、前記横漏れ防止エッジストリップ５には、その長さ方向に沿って浸透防止層７が複合されていることである。前記浸透防止層７はＰＥ材質の浸透防止ＰＥフィルムであってもよい。浸透防止層７の配置により、尿をより良く遮断して浸透を防ぐことができ、尿を吸収性コアに吸収させることで、本考案の上記目的の効果を達成することができる。前記浸透防止層７は、同様の機能を達成できる他の健康的で環境に優しい材質を使用してもよい。
【００１７】
本実施例では、同図に示すように、前記横漏れ防止エッジストリップ５は、上部不織布５１と下部不織布５２を含む２層構造であり、前記ＰＥフィルム（浸透防止層７）は、２層構造の間に配置され、ＰＥフィルムが容易に損傷するのを防ぎ、より良い浸透防止の効果を達成することができる。また、横漏れ防止エッジストリップ５の自由側辺に対応する前記浸透防止層７の側辺の自由側辺よりも引っ込められた一部が保留部５３であり、同図に示すように、前記弾性リブ６は、保留部５３の外側辺に配置されている。当該保留部５３の配置により、使用時のおむつの側辺位置の通気性を向上することができる。さらに、弾性リブ６が保留部５３に配置されることで、浸透防止層７の製造工程で弾性リブ６を配置する時と使用時に弾性リブ６が引っ張れて浸透防止層７を損傷し、浸透防止の効果に影響を与えるのを回避することができる。また、横漏れ防止エッジストリップ５が固定連結された側に対応する前記浸透防止層７は、横漏れ防止エッジストリップ５と面一になるように配置される。この構造配置により、生産及び製造がより簡単になり、この側辺位置の浸透をより確実に防止することができる。
【００１８】
以下、上記の浸透・横漏れ防止のパンツ型おむつ、トレニングパンツと一体型パンツの生産ラインを開示する。本考案のパンツ型おむつの主な改善は横漏れ防止エッジストリップの構造配置にあるため、その生産ラインが既存の生産ラインと異なる点は、主に対応する横漏れ防止エッジストリップを生産する生産工程の追加と設備装置の追加配置である。本実施例における浸透・横漏れ防止のパンツ型おむつ、トレニングパンツと一体型パンツの生産ラインは、吸収性コア搬送ライン１０と、内層搬送ライン２０と、外層搬送ライン３０と、前述の３つの搬送ラインによりおむつを複合して生産する複合搬送ライン５０と、を備え、外層搬送ライン３０は、吸収性コア搬送ライン１０の下に入力し複合される。前記吸収性コア搬送ライン１０は、コア出力ローラーセット１０１を介してロール状の吸収性コア３を出力し、分割カッター１０２により区切られた後、搬送ベルト１０３により吸収性コア３を複合搬送ライン５０に搬送し、前記内層搬送ライン２０は内層出力ローラーセット２０１を介してロール状の内層２を出力し、前記内層出力ローラーセット２０１の下部ローラー軸の下には接着剤ボックス２０２が設けられ、内層出力ローラーセット２０１が回転すると、その下部ローラー軸の表面が接着剤ボックス２０２内の接着剤と接触し、接着剤が内層２の下面にコーティングされ、その後に複合搬送ライン５０に搬送され、吸収性コア搬送ライン１０の上方に対応して入力し複合される。外層搬送ラインは、外層出力ローラーセット３０１を介してロール状の外層１を複合搬送ライン５０に出力すると共に、吸収性コア搬送ライン１０の下方に対応して入力し複合される。前記複合搬送ライン５０は、複合出力ローラーセット５０１によって上記の各搬送ラインの入力した材料を押し合わせする。詳細については、従来のパンツ型おむつの生産ラインにおける内層、外層、吸収性コアを対応して搬送するラインと複合搬送ラインの搬送流れの技術的構造を参照すればよく、ここでは構造についてさらに詳細に説明しない。本願の改善された技術的解決策の明確な理解に影響を与えることなく、本実施例は、主に、内層搬送ライン２０における横漏れ防止エッジストリップ５を加工する部分について説明する。前記内層搬送ライン２０は、横漏れ防止エッジストリップ加工部４０を備え、前記横漏れ防止エッジストリップ加工部は、上部不織布搬送機構９２１と、下部不織布搬送機構９２２と、浸透防止ＰＥフィルム引張搬送機構９２３と、接着剤噴霧機９２４と、圧延複合機構９２５と、分割・切断機構９２６と、分割・切断出力機構９２７とを備える。
【００１９】
前記上部不織布搬送機構９２１は、上部不織布５１を圧延複合機構９２５に搬送し、前記下部不織布搬送機構９２２は、下部不織布５２を圧延複合機構９２５に搬送し、上部不織布５１と上下に対応させ、浸透防止ＰＥフィルム引張搬送機構９２３は、浸透防止ＰＥフィルムを圧延複合機構９２５に搬送し、上部不織布５１と下部不織布５２との間に対応して介在させ、前記接着剤噴霧機９２４は、市場で直接購入できるパンツ型おむつの生産加工で使用される接着剤を噴霧する既存の製品を使用すればよい。当該接着剤噴霧機９２４は下部不織布５２と浸透防止ＰＥフィルムが圧延複合機構９２５に入る前であって、接着剤を下部不織布５２の複合する内面に噴霧可能な位置に配置され、前記圧延複合機構９２５は、一対の上下に対応すると共に反対方向に回転するエンボスローラーセットであり、上部不織布５１、浸透防止ＰＥフィルム及び下部不織布５２をエンボス複合した後に分割・切断出力機構９２７に出力することができ、分割・切断出力機構９２７のローラーセットを介して出力させる。前記分割・切断機構９２６は、圧延複合機構９２５と分割・切断出力機構９２７との間に配置される。即ち、上部不織布５１、浸透防止ＰＥフィルム及び下部不織布５２は複合した後、分割・切断出力機構９２７の間へ出力される過程で分割・切断出力機構９２７の分割・切断操作も経てから出力される。前記分割・切断機構９２６は、分割・切断カッター９２６１を有し、複合後の上部不織布５１、浸透防止層７及び下部不織布５２を長さ方向に沿って対称的な左側横漏れ防止エッジストリップ５と右側横漏れ防止エッジストリップ５に分割・切断できるように介在位置に配置される。本実施例では、分割・切断の方式により左側横漏れ防止エッジストリップ５と右側横漏れ防止エッジストリップ５を同時に生産加工し、この構成により、ライン上の設備の構成要素のレイアウトがより簡単になり、生産加工の効率が向上する。
【００２０】
前記横漏れ防止エッジストリップ加工部は、偏差補正装置９２８をさらに備え、前記偏差補正装置９２８は、浸透防止ＰＥフィルム引張搬送機構９２３から浸透防止ＰＥフィルムが圧延複合機構９２５に搬送する前の位置に配置され、浸透防止ＰＥフィルムの偏差補正に使用される。当該偏差補正装置９２８の配置により、浸透防止ＰＥフィルムを上部不織布５１と下部不織布５２との間の複合される位置で介在するように保持させる。この構造は、端部が駆動シリンダー９２８１に連結さられた左右の調整軸棒９２８２と、予め設定された浸透防止ＰＥフィルムの左右の２つの側辺の位置に対応してそれぞれ配置された検知ヘッド９２８３及び出力ローラー９２８４とを備え、浸透防止ＰＥフィルム引張搬送機構９２３から搬送された後に左右の調整軸棒９２８２を周回して出力ローラー９２８４に到達し、圧延複合機構９２５に入り、検知ヘッド９２８３によって位置を検知し、偏差が発生した場合に駆動シリンダー９２８１の動作を制御して左右の調整軸棒９２８２を駆動させて位置を左右に調整し、偏差補正の調整を達成する。
【００２１】
前記浸透防止ＰＥフィルム引張搬送機構９２３は、浸透防止ＰＥフィルムの搬送順に、ロール状の浸透防止ＰＥフィルムを架設する浸透防止ＰＥフィルム出力ローラー９２３１と、プレスブロックとプレスローラーから上下に対応して構成されるフィルムプレス装置９２３２と、上下に千鳥状に配列した複数本の軸棒からなる多段往復型の引張構造９２３３及び平坦化出力ローラーセット９２３４とを有し、前記フィルムプレス装置９２３２は、浸透防止ＰＥフィルムの出力前に厚さの均一化処理を実行することができ、多段往復型の引張構造９２３３は、浸透防止ＰＥフィルムを均一に引っ張って、理想的な引張状態を実現することができ、前記平坦化出力ローラーセット９２３４は、引張後の浸透防止ＰＥフィルムを平坦化処理して出力することができ、複合時にも平坦化して複合することができる。
【００２２】
上記の横漏れ防止エッジストリップ加工部の構造配置は、既存の生産ラインに改善して追加配置することができ、既存の生産設備を不可逆的に変更しなくてもよく、設備の変更操作を容易に実現でき、設備の変更・交換のための投資を削減できるという優れた特徴を有する。
【００２３】
上記の実施例及び図面は、本考案の製品形態及び様式を制限するものではなく、当業者が適切な変更又は修正を加えても、本考案の実用新案登録請求の範囲から逸脱していないと見なされるべきである。
【図１】
0003233195.tif 000003
【図２】
0003233195.tif 000004
【図３】
0003233195.tif 000005
【図４】
0003233195.tif 000006
【図５】
0003233195.tif 000007